(57)【要約】【課題】雅趣のある絵を子供や専門家でない素人でも容易に制作することが出来る用具とその制作方法を提供する。【解決手段】台紙１に複数の要部３から構成される制作対象の絵２の最外側の輪郭４および各要部３の輪郭５からなる描線６を描いた描画面７を台紙表面８とし、この台紙表面８に接着剤を塗布して接着剤層９を形成し、この接着剤層９の上に剥離紙１０を被覆し、この剥離紙１０を剥離するとき上記の輪郭４、５からなる描線６が接着剤層９が透過して見えている剥離紙１０で被覆されたちぎり絵制作用の台紙１。【選択図】　　　　図３
2004066646.tif 000002
【特許請求の範囲】
【請求項１】
台紙に複数の要部から構成される制作対象の絵の最外側の輪郭および該絵を構成する各要部の輪郭からなる描線を描いた描画面を台紙表面とし、該台紙表面に接着剤を塗布してなる接着剤層の上に剥離紙を被覆し、該剥離紙の剥離後に上記の輪郭の描線を接着剤層を透過して表出しかつ接着性を有する台紙としたことを特徴とする剥離紙で被覆したちぎり絵制作用の台紙。
【請求項２】
透明または半透明の台紙に複数の要部から構成される制作対象の絵の最外側の輪郭および該絵を構成する各要部の輪郭からなる描線を反転して描いた描画面を台紙裏面とし、該台紙の台紙表面に接着剤を塗布してなる接着剤層の上に剥離紙を被覆し、剥離紙の剥離後に上記の描画面の輪郭の正転した描線を接着剤層を透過して表出しかつ接着性を有する台紙としたことを特徴とする剥離紙で被覆したちぎり絵の制作用の台紙。
【請求項３】
描線可能な裏面を有する透明または半透明の台紙の表面に接着剤を塗布してなる接着剤層の上に剥離紙を被覆したことを特徴とする剥離紙で被覆したちぎり絵の制作用の台紙。
【請求項４】
請求項１または２に記載の剥離紙で被覆したちぎり絵制作用の台紙において、該台紙に被覆された剥離紙は台紙に表出された最外側の輪郭および該絵の各要部の輪郭からなる描線に倣って制作対象の絵を構成する要部毎に分割して除去するための切り込みが入れられて台紙表面に塗布してなる接着剤層の上に被覆されていることを特徴とするちぎり絵制作用の台紙。
【請求項５】
複数の要部から構成される制作対象の絵の最外側の輪郭および該絵の各要部の輪郭からなる描線が透過して表出された接着剤層を有し、該接着剤層上に剥離紙を被覆した台紙を用いて、該台紙から剥離紙を剥離して接着剤層を露出させ、該接着剤層を透過して描線を顕出させ、該描線で表示された制作対象の絵の各要部毎に、好みの色の色紙から該要部の大きさを形成する複数の小さな形状の好みの色の小色紙片を指でちぎり、この指でちぎった複数の好みの色の小色紙片をそれぞれの要部毎の描線内に貼着して要部毎の図柄を描き、全体として制作対象の絵とすることを特徴とする請求項１または２に記載のちぎり絵制作用の台紙を使用するちぎり絵の制作方法。
【請求項６】
描線可能な台紙裏面に複数の要部から構成される制作対象の絵の最外側の輪郭および該絵の各要部の輪郭からなる描線を反転して描き、該描線を台紙および台紙表面に塗布してなる接着剤層を透過して台紙表面に正転して表出させ、かつ、接着剤層上に剥離紙を被覆した台紙を使用し、該台紙から剥離紙を剥離して接着剤層を露出させ、該接着剤層を透過して該描線を顕出させ、該描線で表示された制作対象の絵の各要部毎に、好みの色の色紙から該要部の大きさを形成する複数の小さな形状の好みの色の小色紙片を指でちぎり、この指でちぎった複数の好みの色の小色紙片をそれぞれの要部毎の描線内に貼着して要部毎の図柄を描き、全体として制作対象の絵とすることを特徴とする請求項３に記載のちぎり絵制作用の台紙を使用するちぎり絵の制作方法。
【請求項７】
制作対象の絵の最外側の輪郭および該絵の各要部の輪郭からなる描線に倣って制作対象の絵の要部毎の大きさの部分に分割切断用の切り込みが入れられている剥離紙により接着剤層が被覆されている台紙を使用し、各要部毎の剥離紙を剥離して接着剤層を露出させ、露出された制作対象の絵の要部毎に、好みの色の色紙から該要部の大きさを形成する複数の小さな形状の好みの色の小色紙片を指でちぎり、この指でちぎった複数の好みの色の小色紙片をそれぞれの要部毎の描線内に貼着して要部毎の図柄を描き終わると、次の要部の剥離紙を剥離して露出した該要部の接着剤層に好みの色の小色紙片を貼着して該要部の図柄を描き、順次以上の手順を繰り返すことにより全体として制作対象の絵とすることを特徴とする請求項４に記載のちぎり絵制作用の台紙を使用するちぎり絵の制作方法。
【発明の詳細な説明】
【０００１】
【発明の属する技術分野】
本発明は、台紙に適宜小色紙片の貼り紙を連続して貼りつけることにより絵画を制作する方法に関するものである。
【０００２】
【従来の技術】
従来、絵画の制作は、一般的には画用紙やキャンバスなどその上に絵を表現するための基体（以下、「台紙」という。）上に鉛筆やコンテで描いたり、クレヨンや色鉛筆などの乾式絵の具を塗ることで、若しくは墨や岩絵の具や水彩絵の具や油絵の具やアクリル樹脂絵の具などの湿式絵の具、あるいはラッカーやペイントなどの塗料などを塗ることにより制作している。
【０００３】
上記のように絵の具で描く以外に、タイルや陶片などを張り付けるモザイクなどがあるが、これは紙の台紙に描くことはできない。そこで、紙などの台紙に種々の色からなる素材の小片を貼り付けて絵画にする貼り絵が知られており、この技法を利用した例としては、例えば、特定形状の小片に切断した植物の花弁や葉などを適当に組み合わせて押し花して貼り合わせて貼り絵とするものが特開平５−２４９８８５号公報に記載されている。しかし、このものは技法が複雑であるので子供や一般人には作成が困難である。さらに、特開平６−２１４５０２号公報の技法があるが、色の素材となるものに着色したレーヨン、ナイロン、ポリエステルなどの短繊維粉末植毛転写紙を使用して部分的に転写を繰り返して全体の絵を描くものであり、やはり技法が素人や子供に難しく、かつ素材も身の回りになく特別のものであり、誰でも制作することのできるものでない。また、登録実用新案公報第３０４６０１７号には貼り絵について記載されているが、これはリハビリテーション用に考案されたものであり、従って、着色アート紙を碁盤状の升目あるいは方形に切り込んだものを貼り付けるものであり、さらに枡目を印刷した台紙を使用しており、機械的であり、芸術性に欠けるものである。
【０００４】
そこで、子供などのために、描きたい素材の輪郭や模様の境界などを線で予めかじめ下絵を印刷して現した台紙を作成し、この台紙を子供に提供し、この台紙の線で囲まれた下絵の各領域毎にクレヨンなどで着色して、全体として異なる色からなる絵が完成されるようにしたぬり絵がある。しかし、このぬり絵は下絵の線で囲まれた同一領域の輪郭内を同一の色で単一に塗るので、画面が平面的であり雅趣に欠けるものとなることが多かった。
【０００５】
以上のように、従来の貼り絵は特別の素材や熟練した技術が必要とされ、専門家でない一般人や子供などが雅趣あふれる絵を容易に描くことは困難であった。
【０００６】
【発明が解決しようとする課題】
本発明は、上記の従来の問題点を解決するもので、雅趣のある絵を子供や専門家でない大人でも容易に制作することが出来る用具とその制作方法を提供することである。
【０００７】
【課題を解決するための手段】
上記課題を解決するための本発明の手段は、請求項１の発明では、台紙に複数の要部から構成される制作対象の絵の最外側の輪郭および該絵を構成する各要部の輪郭からなる描線を描いた描画面を台紙表面とし、該台紙表面に接着剤を塗布してなる接着剤層の上に剥離紙を被覆し、該剥離紙の剥離後に上記の輪郭の描線を接着剤層を透過して表出しかつ接着性を有する台紙としたことを特徴とする剥離紙で被覆したちぎり絵制作用の台紙である。
【０００８】
請求項２記載の発明では、透明または半透明の台紙に複数の要部から構成される制作対象の絵の最外側の輪郭および該絵を構成する各要部の輪郭からなる描線を反転して描いた描画面を台紙裏面とし、該台紙の台紙表面に接着剤を塗布してなる接着剤層の上に剥離紙を被覆し、該剥離紙の剥離後に上記の描画面の輪郭の正転した描線を接着剤層を透過して表出しかつ接着性を有する台紙としたことを特徴とする剥離紙で被覆したちぎり絵の制作用の台紙である。
【０００９】
請求項３の発明では、描線可能な裏面を有する透明または半透明の台紙の表面に接着剤を塗布してなる接着剤層の上に剥離紙を被覆したことを特徴とする剥離紙で被覆したちぎり絵の制作用の台紙である。
【００１０】
請求項４の発明では、請求項１または２の手段の剥離紙で被覆したちぎり絵制作用の台紙において、該台紙に被覆された剥離紙は台紙に表出された最外側の輪郭および該絵の各要部の輪郭からなる描線に倣って制作対象の絵を構成する要部毎に分割して除去するための切り込みが入れられて台紙表面に塗布してなる接着剤層の上に被覆されていることを特徴とするちぎり絵制作用の台紙である。
【００１１】
請求項５の発明では、複数の要部から構成される制作対象の絵の最外側の輪郭および該絵の各要部の輪郭からなる描線が透過して表出された接着剤層を有し、該接着剤層上に剥離紙を被覆した台紙を用いて、該台紙から剥離紙を剥離して接着剤層を露出させ、該接着剤層を透過して描線を顕出させ、該描線で表示された制作対象の絵の各要部毎に、好みの色の色紙から該要部の大きさを形成する複数の小さな形状の好みの色の小色紙片を指でちぎり、この指でちぎった複数の好みの色の小色紙片をそれぞれの要部毎の描線内に貼着して要部毎の図柄を描き、全体として制作対象の絵とすることを特徴とする請求項１または２の手段のちぎり絵制作用の台紙を使用するちぎり絵の制作方法である。
【００１２】
請求項６の発明では、描線可能な台紙裏面に複数の要部から構成される制作対象の絵の最外側の輪郭および該絵の各要部の輪郭からなる描線を反転して描き、該描線を台紙および台紙表面に塗布してなる接着剤層を透過して台紙表面に正転して表出させ、かつ、接着剤層上に剥離紙を被覆した台紙を使用し、該台紙から剥離紙を剥離して接着剤層を露出させ、該接着剤層を透過して該描線を顕出させ、該描線で表示された制作対象の絵の各要部毎に、好みの色の色紙から該要部の大きさを形成する複数の小さな形状の好みの色の小色紙片を指でちぎり、この指でちぎった複数の好みの色の小色紙片をそれぞれの要部毎の描線内に貼着して要部毎の図柄を描き、全体として制作対象の絵とすることを特徴とする請求項３の手段のちぎり絵制作用の台紙を使用するちぎり絵の制作方法である。
【００１３】
請求項７の発明では、制作対象の絵の最外側の輪郭および該絵の各要部の輪郭からなる描線に倣って制作対象の絵の要部毎の大きさの部分に分割切断用の切り込みが入れられている剥離紙により接着剤層が被覆されている台紙を使用し、各要部毎の剥離紙を剥離して接着剤層を露出させ、露出された制作対象の絵の要部毎に、好みの色の色紙から該要部の大きさを形成する複数の小さな形状の好みの色の小色紙片を指でちぎり、この指でちぎった複数の好みの色の小色紙片をそれぞれの要部毎の描線内に貼着して要部毎の図柄を描き終わると、次の要部の剥離紙を剥離して露出した該要部の接着剤層に好みの色の小色紙片を貼着して該要部の図柄を描き、順次以上の手順を繰り返すことにより全体として制作対象の絵とすることを特徴とする請求項４の手段のちぎり絵制作用の台紙を使用するちぎり絵の制作方法である。
【００１４】
本発明においていう、ちぎり絵とは、色紙など絵を描くための色に着色した紙を指先でちぎることにより小色紙片としたものを同一のマス毎に隣接して台紙に貼ることで全体として絵に完成するもので、貼るための小色紙片は、ハサミやカッターで切断したものは小色紙片の周辺が直線状で紙繊維の毛羽立ちもなく機械的な平面的なものであるのに対し、本願の発明では、指先でちぎることにより小色紙片の周辺が不定形でかつ大きさも不同であり、さらに紙繊維の毛羽立ちを小色紙片の周辺に有するものとなるので、台紙に貼り付けて絵にしたときに、小色紙片の周辺が不特定の凹凸からなる線状で連なり、ときには隣接する小色紙片と重なり、時には僅かな隙間が生じるなどとなり、紙繊維の毛羽立ちによる画面に立体的な厚みが生じ、その結果として雅趣あふれる温かみを画面全体からかもしだす効果を生じるものである。特に色紙として和紙を用いるときは一層に趣を生じる。
【００１５】
【発明の実施の形態】
本発明の実施の形態を図面を参照して説明する。先ず、請求項１に係る発明について説明する。図１に示すように、ちぎり絵を制作する台紙１に、制作対象とする絵２を例えばパンダの絵２とするとき、このパンダの絵２を色彩のマス（塊まり）で捉え、このマスからなる目や口や耳や前脚や胴体や目の周囲の部分などの複数の要部３からパンダの絵２を構成して描くものとする。すなわち、パンダの絵２の最外側の輪郭４およびこのパンダの絵２を構成する各要部の輪郭５からなる描線６からパンダを描画した描画面７を台紙表面８に描いている。子供用に制作する絵の場合は、絵２を予め印刷しておく。また、描画面７の描線６は上記の印刷に代えて適宜制作したい絵２を手書きで描いたものでも良い。
【００１６】
以上のように台紙表面８に描線６を描いた描画面７の上に、粘着性を有する接着剤を塗布して粘着性のある接着剤層９を形成する。この接着剤層９の上に接着剤層９の粘着面と容易に剥離可能な剥離紙１０を被覆して接着剤層９の粘着面が固化して粘着性を無くさないように保護している。この台紙表面８に描線６を描いてその上に接着剤層９を塗布し、この接着剤層９の上に剥離紙１０を被覆した台紙１の断面図は図２に示されている。この場合、使用する接着剤は剥離紙１０を剥離した際に接着剤層９を透過して台紙表面８に描かれた描線６が見えるものとする。
【００１７】
請求項２に係る発明では、上記の請求項１に係る発明の台紙１が描画面７を台紙表面８に有するのに対し、図４に示すように、台紙１を透明または半透明なものとし、かつ、台紙裏面１１に制作する絵２の反転した絵１２を描いて描画面７としたものである。すなわち、図４の（ｂ）に示すように、複数の要部３から構成される制作対象のパンダの絵２の最外側の輪郭４およびこの絵を構成する各要部の輪郭５からなる描線６を台紙裏面１１に反転して描いて描画面７としたものである。図４の（ａ）に示すように、この台紙１の台紙表面８に接着剤を塗布して接着剤層９を形成し、この接着剤層９の上に剥離紙１０を被覆する。図（ａ）に見られるように、台紙１および接着剤層９を透過して台紙裏面１１に描いた描画面７の正転した描画面７が台紙表面８に表出して台紙１に形成されている。
【００１８】
請求項３に係る発明では、上記の請求項２に係る発明のものが、台紙裏面１１に制作する絵２の反転した絵１２の描線６を描いたものであるのに対し、図５の（ｂ）に示すように、台紙裏面１１を描線可能な裏面の白紙状態の無地１３のままとするものである。すなわち、この台紙裏面１１には、制作する絵２の反転した絵１２の描線６を描くことなく、透明または半透明の台紙１のままとしている。図５の（ａ）に示すように、この台紙１の台紙表面８に接着剤を塗布して接着剤層９を形成し、この接着剤層９の上に剥離紙１０を被覆してちぎり絵の制作用の台紙１としている。この台紙１は、ちぎり絵を制作する人自身が台紙裏面１１に制作したい絵２の反転した描線６を好みに描くことができる台紙１である。
【００１９】
請求項４に係る発明では、上記の請求項１または２に係る発明における剥離紙で被覆したちぎり絵制作用の台紙１において、図６に示すように、これらの台紙１の接着剤層９を透過して表出された制作する絵２の最外側の輪郭４およびその各要部の輪郭５からなる描線６に倣って、剥離紙１０には各要部３毎に分割して除去するための切り込み１４が入れられている。すなわち、台紙１は切り込み１４の入れられた剥離紙１０が接着剤層９の全面に被覆されて形成されている。
【００２０】
以上に記載した種々の台紙１を使用してちぎり絵を制作する方法を以下に説明する。先ず、請求項１または請求項２に係る発明の台紙１を使用する方法である。これらは複数の要部３から構成された制作対象の絵２の最外側の輪郭４およびその各要部の輪郭５からなる描線６が接着剤層９を透過して見えており、その接着剤層９の上に剥離紙１０が被覆された台紙１を用いる。
【００２１】
先ず、図３の（ａ）あるいは図７に示すように、これらの台紙１から剥離紙１０を剥離し、台紙表面８に塗布した接着剤層９を露出させる。すると、図３の（ｂ）に示すように、露出した接着剤層９を透過して描線６のパンダの絵２が顕われる。そこで、描線６で表示された制作対象のパンダの絵２の各要部３毎に、その要部に合った好みの色の色紙１５を、図８に示すように、指でちぎって小さな異なる形状の好みの色の小色紙片１６を複数作る。この指でちぎって作った複数の好みの色の小色紙片１６を要部３の描線内に貼着して要部３毎の図柄を完成させる。一つの要部３の図柄が完成すると、次の要部３に合った色の好みの色の小色紙片１６を作ってその要部３に貼り、その要部３の図柄を完成する。このように順次繰り返して、全体としての制作対象の絵２に完成し、さらに、絵２の周囲の背景部１７にも好みの色にちぎった小色紙片１６を貼り連ねてちぎり絵１９を完成する。ちぎり絵１９には小色紙片１６同士の境界１８の部分が指でちぎった紙の繊維が毛羽立った独特の柔らかな線で形成されて、雅趣に富むものとなっている。
【００２２】
さらに請求項３に係る発明の台紙１を用いてちぎり絵１９を制作する方法について説明する。この場合、図５の（ｂ）に示すように、透明または半透明の台紙１の台紙裏面１１が油性ペンやボールペンあるいは鉛筆またはクレヨンその他適宜筆記具で線が描ける無地１３の用紙からなるものとする。図５の（ａ）あるいは図７に示すように、台紙１の表面には接着剤層９が塗布されて、この接着剤層９に剥離紙１０が被覆されている。この台紙１の台紙裏面１１に、図４の（ｂ）に示すように、制作する絵２の反転した絵２の輪郭を描いて反転した描線６からなる絵２とする。この反転して絵２を描いた台紙裏面１１をひっくり返して台紙１から剥離紙１０を剥離する。すると、図６に示すように、台紙１の表面に塗布した接着剤層９を透して正転した制作する絵２の描線６が現れる。そこで、上記に示した手法により、描線６で描かれた要部３毎に複数の好みの色の小色紙片１６を貼って制作する絵２に完成する。
【００２３】
さらに他の実施の形態のちぎり絵１９の制作方法について説明する。これは請求項４に掛かる発明の台紙１を使用するもので、制作対象の絵２の最外側の輪郭４および各要部の輪郭５からなる描線６に倣って、剥離紙１０に制作対象の絵の要部毎の大きさの部分に分割して切り離して除去することのできる切断用の切り込み１４が予め入れられているものを使用して制作するものである。
【００２４】
すなわち、このように切り込み１４を入れた剥離紙１０を接着剤層９に被覆して有する台紙１を使用し、先ず、剥離紙１０の要部３毎の切り込み１４の大きさの部分を一度に１か所ずつ剥離する。例えば、図６または図７に示すように、制作するちぎり絵１９がパンダの絵２であるとき、先ず、背景となるパンダの絵２の周囲の剥離紙１０を、図９に示すように、剥離して除去した剥離紙１０ａとし、この部分の接着剤層９を台紙１上に露出させる。そして、図８に示すように、この露出された背景となる部分にその背景に相応しい色の色紙１５を選び、指で小さくちぎって多数の不定形の小色紙片１６を作り、図１０に示すように、これらの小色紙片１６を隣り合わせて接着剤層９に貼って小色紙片１６からなる背景部１７の要部の絵２０とする。このように色紙の小色紙片１６を貼る部分のみの剥離紙１０を剥離することで、その部分にのみ同一の色紙の小色紙片１６を貼ればよいので、貼る部分が明らかであり、異なる色紙の小色紙片１６を過つて貼ることがない。さらに、まだ貼らない部分の剥離紙１０は切り込み１４で切り離して剥離しないで接着剤層９に貼付けたまま残った剥離紙１０ｂとしているので、この部分に手が触れても接着剤が手に付くことがなので、剥離した部分に色紙の小色紙片１６を貼る作業がし易いものとなる。図１１に示すように、背景部分への色紙の小色紙片１６を貼りおえて背景部分の小色紙片１６貼った要部３ａとパンダ本体の絵２の部分の小色紙片１６を貼っていない要部３ｂが台紙１上に仕上げる。
【００２５】
次いで、貼っていない要部３ｂの部分から、パンダの前足の部分の要部３からその切り込みに沿って剥離紙１０を切り離して接着剤層１６から剥がして除去した剥離紙１０ａとし、一方、台紙１にこの部分の接着剤層９を露出して、この部分に好みの色の色紙から多数の小色紙片１６をちぎって作り、図１２に示すように、パンダの前足の部分に要部３に貼り付けて前足部分の小色紙片１６を貼った要部３ａに仕上げる。
【００２６】
さらに、図１３に示すように、台紙１の接着剤層９上の残った剥離紙１０ｂのパンダの絵２の頭の部分の要部３と胸の部分の要部３の剥離紙１０を切り込み１４から分離除去して除去した剥離紙１０ａとし、一方、上記の手順と同様に好みの大きさと色の多数の色紙の小色紙片１６を指でちぎって作り、台紙１上に露出したパンダの絵２の頭の部分の要部３と胸の部分の要部３の接着剤層９に小色紙片１６を貼り付けてパンダの頭と胸の部分を仕上げる。
【００２７】
以上の作業をさらに繰り返して、残りのパンダの絵２の要部３の部分の台紙１上の残った剥離紙１０ｂを切り込み１４で切り離して剥離し、台紙１上にその部分の接着剤層９を露出させ、この部分に好みの大きさと色の色紙の小色紙片１６を貼って、図１４に示すように、制作対象の絵２のちぎり絵１９を完成する。
【００２８】
【発明の効果】
以上に説明したように、本発明は制作する絵を下絵として描いた接着剤層を有し剥離紙で被覆した台紙あるいはこの台紙が描画可能な白紙状の台紙裏面に製作者が制作する絵を下絵として描くことが出来る台紙を提供してこの台紙に下絵の描画面の要部に色紙から指で好みの色と大きさの小色紙片をちぎって、このちぎった小色紙片を制作する絵の下絵の要部に順次貼り付けて好みの色からなる要部の絵として全体としてちぎり絵を完成する方法であり、貼るための小色紙片を色紙から指でちぎって作るので、不定形状で大きさも不動の小色紙片となり、かつ、ちぎった端辺の部分が紙の繊維で毛羽立っているので、この小色紙片を貼って完成したちぎり絵は温かみのある立体感のある雅趣に富んだ絵となり、かつ、要部に倣って貼るので、子供や素人でも容易に芸術性に溢れたちぎり絵が得られる。
【図面の簡単な説明】
【図１】台紙表面に描かれた描線からなるちぎり絵を制作ためのパンダの絵で接着剤層を透過して見えている図である。
【図２】台紙表面に塗った接着剤層上に剥離紙を被覆した台紙の拡大して模式的に示す部分断面図である。
【図３】（ａ）は台紙表面に剥離紙を被覆したちぎり絵制作用の台紙を示し、（ｂ）は剥離紙を剥離して制作する絵の下絵の描線が接着剤層を透過して見えている図を示している。
【図４】（ａ）は台紙表面に剥離紙を被覆したちぎり絵制作用の台紙を示し、（ｂ）は台紙裏面に制作する絵の輪郭の描線からなる絵を反転して描いた図を示す。
【図５】（ａ）は台紙表面に剥離紙を被覆したちぎり絵制作用の台紙を示し、（ｂ）は制作する絵を描くための描画可能な台紙裏面を示す図である。
【図６】制作する絵の描線の切り込みで描かれている剥離紙を接着剤層に被覆した台紙を示す図である。
【図７】切り込みを入れた剥離紙を被覆した接着剤層と台紙を模式的に示す部分断面図である。
【図８】（ａ）はちぎり絵の素材のちぎって空いた部分を有する色紙の図で、（ｂ）はちぎった色紙の小色紙片を示す図である。
【図９】切り込み入りの剥離紙の背景部を剥離した台紙とその背景部の剥離紙を示す図である。
【図１０】背景部に一部を残して色紙の小色紙片を貼付した台紙と背景部の剥離紙を示す図である。
【図１１】色紙の小色紙片を貼付して背景部を完成した台紙と背景部の剥離紙を示す図である。
【図１２】制作するパンダの絵の要部の前足に色紙の小色紙片を貼付した台紙とその要部の前足の剥離紙を示す図である。
【図１３】制作するパンダの絵の要部の頭と胸に色紙の小色紙片を貼付した台紙とその要部の頭と胸の剥離紙を示す図である。
【図１４】制作するパンダの要部と背景部の全てに色紙の小色紙片を貼付して完成したちぎり絵を示す図である。
【符号の説明】
１　台紙
２　絵
３　要部
４　最外側の輪郭
５　要部の輪郭
６　描線
７　描画面
８　台紙表面
９　接着剤層
１０　剥離紙
１１　台紙裏面
１２　反転した絵
１３　無地
１４　切り込み
１５　色紙
１６　小色紙片
１７　背景部
１８　境界
１９　ちぎり絵
２０　要部の絵
２１　ちぎって空いた部分
【図１】
2004066646.tif 000003
【図２】
2004066646.tif 000004
【図３】
2004066646.tif 000005
【図４】
2004066646.tif 000006
【図５】
2004066646.tif 000007
【図６】
2004066646.tif 000008
【図７】
2004066646.tif 000009
【図８】
2004066646.tif 000010
【図９】
2004066646.tif 000011
【図１０】
2004066646.tif 000012
【図１１】
2004066646.tif 000013
【図１２】
2004066646.tif 000014
【図１３】
2004066646.tif 000015
【図１４】
2004066646.tif 000016